【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
以前に実行された金融取引を処理するためのコンピュータシステムであって、
データ通信網に対するインタフェースと、
前記インタフェースに結合され、前記データ通信網を介して遠隔コンピュータに対するオンライン接続を確立し、以前に実行された金融取引に関する第１の詳細セットを含む第１の入メッセージを、該オンライン接続を介して前記遠隔コンピュータから受信するように構成されている決済用プロセッサと、
前記第１のメッセージ内の詳細セットと以前に受信した第２のメッセージ内の第２の詳細セットとの間にマッチが存在するか否かを決定するように構成されているマッチングサブシステムと、
を備え、
マッチが存在する場合には、前記決済用プロセッサはさらに、以前に実行された金融取引を計上するように構成されている、コンピュータシステム。
【請求項２】
メッセージデータベースをさらに備え、
前記決済プロセッサは、該メッセージデータベースに、前記第１のメッセージを記憶するよう構成され、
前記第２のメッセージは、前記メッセージデータベースに記憶されており、
前記マッチングサブシステムは、マッチが存在するか否かを決定する前に前記データベースから前記第１のメッセージを取り出すよう構成されている、請求項１に記載のコンピュータシステム。
【請求項３】
前記決済用プロセッサがさらに、以前に実行された金融取引を計上する前に前記オンライン接続を介して前記遠隔コンピュータに対しマッチ状況を提供するように構成されている、請求項１又は２に記載のコンピュータシステム。
【請求項４】
もう１つのオンライン接続を介して、以前に実行された金融取引に参加するための当初の要請を受信し、
前記マッチングサブシステムがマッチが存在するか否かを決定する前に、以前に実行された金融取引を条件付きで計上するように構成された取引実行ステージプロセッサ、
をさらに備える、請求項１乃至４のいずれか１項に記載のコンピュータシステム。
【請求項５】
前記詳細セットが以前に実行された金融取引の契約相手を識別するフィールドを備え、
前記決済用プロセッサがさらに、
該契約相手に対する第２のオンライン接続を確立し、該契約相手からの確認を前記オンライン接続を介して前記決済用プロセッサが受信するまで、以前に実行された金融取引の計上を回避するように構成されている、請求項１乃至４のいずれか１項に記載のコンピュータシステム。
【請求項６】
前記決済用プロセッサがさらに、以前に実行された金融取引が計上されたという通知を含む、以前に実行された金融取引に関する出メッセージを生成し、前記データ通信網を介して前記遠隔コンピュータに対して該出メッセージを伝送するように構成されている、請求項１乃至５のいずれか１項に記載のコンピュータシステム。
【請求項７】
前記決済用プロセッサと連動して前記遠隔コンピュータ上で実行するように構成され、さらに、前記遠隔コンピュータ上でラン中のユーザーアプリケーションから前記入メッセージを受信し、前記データ通信網を介して前記遠隔コンピュータから前記決済用プロセッサに対して前記第１のメッセージを伝送するように構成されているアダプタプログラムをさらに備える、請求項６に記載のコンピュータシステム。
【請求項８】
前記アダプタプログラムがさらに、前記決済用プロセッサと互換性のあるフォーマットへ前記第１のメッセージを翻訳するように構成されている、請求項７に記載のコンピュータシステム。
【請求項９】
前記アダプタプログラムがさらに、前記データ通信網を介して前記決済用プロセッサから前記出メッセージを受信し、前記出メッセージを前記ユーザーアプリケーションに送るように構成されている、請求項７又は８に記載のコンピュータシステム。
【請求項１０】
前記アダプタプログラムがさらに、前記ユーザーアプリケーションと互換性のあるフォーマットへ前記出メッセージを翻訳するように構成されている、請求項９に記載のコンピュータシステム。
【請求項１１】
前記決済用プロセッサがさらに、前記マッチングサブシステムと互換性のあるフォーマットに前記第１のメッセージを翻訳するように構成されている、請求項１乃至１０のいずれか１項に記載のコンピュータシステム。
【請求項１２】
前記マッチングサブシステムと互換性のあるフォーマットがＳＷＩＦＴ  ＭＴ３００フォーマットである、請求項１１に記載のコンピュータシステム。
【請求項１３】
前記決済用プロセッサが決済サーバープログラムの制御下で動作するコンピュータプロセッサであり、
前記マッチングサブシステムが前記決済サーバープログラムの制御下で動作し、以前に実行された金融取引に関する前記第１及び第２の詳細セットについてのマッチ状況を生成するように構成され、
前記決済サーバープログラムが、第１のデータ通信チャンネルを介してブローカークライアントプログラムに前記第１及び第２の詳細セット並びに前記マッチ状況を伝送し、前記マッチ状況に応答して処理用指令を前記ブローカークライアントプログラムから受諾し、第２の通信チャンネルを介してプロバイダクライアントプログラムに、そして第３の通信チャンネルを介してカスタマークライアントプログラムに、前記処理用指令を伝送するよう構成され、
前記決済用プロセッサはさらに、前記処理用指令に応答して、以前に実行された金融取引を計上するように構成されている、
請求項１乃至１２のいずれか１項に記載のコンピュータシステム。
【請求項１４】
前記処理用指令が、
以前に実行された金融取引を変更するための要請、
以前に実行された金融取引についての決済日を修正するための要請、
以前に実行された金融取引に結びつけられたレートを修正するための要請、
以前に実行された金融取引を決済するのに特定の勘定を使用するための要請、
以前に実行された取引を複数の金融取引に分割するための要請、
前記２つの詳細セット間のマッチを強制するための要請、
前記２つの詳細セット間のマッチを中断させるための要請、
前記２つの詳細セット間のマッチを作成するための要請、及び、
前記２つの取引詳細セット内の１つ以上の詳細に関する通知を伝送するための  要請、
のうちの少なくとも１つを含む、請求項１３に記載のコンピュータシステム。  
【請求項１５】
以前に実行された取引には当事者Ａ及び当事者Ｂが関与し、前記第１および  第２のメッセージのうち、一方は前記当事者Ａからのものであり、他方は前記  当事者Ｂからのものである、請求項１乃至３並びに７及び８に記載のコンピュ  ータシステムであって、
前記決済用プロセッサが、
当事者Ａのための第１のオンライン接続と、前記当事者Ｂのための第２のオ  ンライン接続とを確立し、
当事者Ａと当事者Ｃの間の第１の金融取引に関する当事者Ａギブアップ詳細  セットを含む、前記第１及び第２のメッセージのうちの一方を当事者Ａから前  記第１のオンライン接続を介して受信し、
当事者Ｂと当事者Ｃの間の第２の金融取引に関する当事者Ｂギブアップ詳細  セットを含む、前記第１及び第２のメッセージのうちの他方を前記第２のオン  ライン接続を介して当事者Ｂから受信するよう構成され、
前記マッチングサブシステムが、前記当事者Ａギブアップ詳細と前記当事者  Ｂギブアップ詳細との間にマッチが存在するか否かを決定するように構成され  、
前記決済用プロセッサはさらに、マッチが存在する場合、第１及び第２の金  融取引を計上するよう構成されている、コンピュータシステム。
【請求項１６】
もう１つのオンライン接続を介して、当事者Ｂとの以前に実行された金融取  引に参加するための当事者Ａからの当初の要請を受信し、
前記マッチングサブシステムがマッチが存在するか否かを決定する前に、第  １の金融取引を条件付きで計上し、
前記マッチングサブシステムがマッチが存在するか否かを決定する前に、第  ２の金融取引を条件付きで計上するように構成された取引実行ステージプロセ  ッサ
をさらに備える、請求項１５に記載のコンピュータシステム。
【請求項１７】
当事者Ｂとの以前に実行された金融取引に参加するための当事者Ａからの当  初の要請が、当事者Ａと当事者Ｃとの間の取決めに基づいており、
当事者Ｂに対し前記当初の要請を伝送する前に、前記取引実行ステージプロ  セッサは、前記取決めが当事者Ａに前記当初の要請を行なうことを許可してい  るか否かを確認する、
請求項１６に記載のコンピュータシステム。
【請求項１８】
前記取決めは、
信用限度、
通貨ペア制約、
先日付制限、
特定勘定の使用要件、
実行日付制約、及び
決済日付制約、
のうちの少なくとも１つを含む、請求項１７に記載のコンピュータシステム    。
【請求項１９】
前記決済用プロセッサがさらに、
当事者Ｃのための第３のオンライン接続を確立し、
当事者Ａに代って当事者Ｃに対し前記当事者Ａギブアップ詳細を伝送し、
当事者Ｂに代って、当事者Ｃに対し前記当事者Ｂギブアップ詳細を伝送するように構成されている、請求項１５乃至１８のいずれか１項に記載のコンピュータシステム。
【請求項２０】
前記決済用プロセッサがさらに、前記当事者Ａギブアップ詳細が当事者Ｃに伝送されたという通知を当事者Ａに伝送するように構成されている、請求項１９に記載のコンピュータシステム。
【請求項２１】
前記決済用プロセッサがさらに、前記当事者Ｂギブアップ詳細が当事者Ｃに伝送されたという通知を当事者Ｂに伝送するように構成されている、請求項１９又は２０に記載のコンピュータシステム。
【請求項２２】
前記決済用プロセッサがさらに、
前記当事者Ａギブアップ詳細及び当事者Ｂギブアップ詳細の当事者Ｃに対する伝送に応答して、当事者Ｃから当事者Ｃギブアップ受諾を受信し、
当事者Ｃに代って当事者Ａ及び当事者Ｂに対し前記当事者Ｃギブアップ受諾を伝送し、
ように構成されている、請求項１９乃至２１のいずれか１項に記載のコンピュータシステム。
【請求項２３】
第１の金融取引が第２の金融取引よりも高いレートで計上される、請求項１５乃至２２のいずれか１項に記載のコンピュータシステム。
【請求項２４】
前記決済用プロセッサがさらに、第１及び第２の金融取引が計上されたことの通知を当事者Ａ及び当事者Ｂに伝送するように構成されている、請求項１５乃至２３のいずれか１項に記載のコンピュータシステム。
【請求項２５】
前記決済用プロセッサがさらに、
当事者Ａから前記第１のオンライン接続を介して、当事者Ｃにギブアップされていない、以前に実行された金融取引の一部分を含む、当事者Ａと当事者Ｂの間の第３の金融取引に関する当事者Ａの詳細セットを受信し、
第３の金融取引に関する当事者Ｂの詳細セットを当事者Ｂから前記第２のオンライン接続を介して受信する、
ように構成され、
前記マッチングサブシステムがさらに、前記当事者Ａの詳細と前記当事者Ｂの詳細の間に第２のマッチが存在するか否かを決定するように構成され、
第２のマッチが存在する場合、前記決済用プロセッサはさらに、第３の金融取引を計上するように構成されている、
請求項１５に記載のコンピュータシステム。
【請求項２６】
前記決済用プロセッサがさらに、第３の金融取引を計上する前に、前記第１のオンライン接続を介して当事者Ａに対し、前記当事者Ａの詳細及び前記当事者Ｂの詳細についてのマッチ状況を提供するように構成されている、請求項２５に記載のコンピュータシステム。
【請求項２７】
前記決済用プロセッサがさらに、第３の金融取引を計上する前に、前記オンライン接続を介して当事者Ｂに対し、当事者Ａの詳細及び当事者Ｂの詳細についてのマッチ状況を提供するように構成されている、請求項２５又は２６に記載のコンピュータシステム。
【請求項２８】
前記決済用プロセッサがさらに、第３の金融取引が計上されたことの通知を当  事者Ａ及び当事者Ｂに伝送するように構成されている、請求項２５乃至２７に  記載のコンピュータシステム。
【請求項２９】
もう１つのオンライン接続を介して、当事者Ｂとの第３の金融取引に参加するための当事者Ａからの当初の要請を受信し、
前記マッチングサブシステムが第２のマッチが存在するか否かを決定する前に、第３の金融取引を条件付きで計上するように構成された取引実行ステージプロセッサをさらに含んで構成される、請求項２５乃至２８のいずれか１項に記載のコンピュータシステム。
【請求項３０】
前記決済用プロセッサがさらに、
当事者Ａより当事者Ｃに提供された資金割当に基づいて決済詳細セットを当事者Ｃから受信し、
当事者Ｄのための第４のオンライン接続を確立し、
前記第４のオンライン接続を介して当事者Ｄに対し前記決済詳細セットを伝送するように構成されている、請求項１５乃至２９のいずれか１項に記載のコンピュータシステム。
【請求項３１】
前記決済用プロセッサがさらに、
前記決済詳細セットに応答した当事者Ｄ決済確認メッセージを当事者Ｄから受信し、
当事者Ｄに代って当事者Ｃに対し前記当事者Ｄ決済確認メッセージを伝送し、
前記当事者Ｄ決済確認メッセージに応答した当事者Ｃ確認メッセージを当事者Ｃから受信し
当事者Ａに対し前記当事者Ｃ決済確認メッセージを伝送するように構成されている、請求項３０に記載のコンピュータシステム。
【請求項３２】
前記マッチングサブシステムがさらに、前記当事者Ｃ決済確認メッセージと前記決済詳細セットとの間にマッチが存在するか否かを決定するように構成されている、請求項３１に記載のコンピュータシステム。
【請求項３３】
前記マッチングサブシステムが
ワークフロープロセッサと、
前記ワークフロープロセッサの制御下で前記第１の詳細セットと前記第２の詳細セットとを比較するように構成されたマッチングエンジンと、
を備える、請求項１乃至３２のいずれか１項に記載のコンピュータシステム。
【請求項３４】
前記決済用プロセッサが
オンライン接続を制御するように構成されたセッションマネージャと、
前記当事者の遠隔コンピュータとのデータ通信網上でのデータ通信を制御するように構成されたユーザーインターフェースマネージャと、
を備える、請求項１乃至３３のいずれか１項に記載のコンピュータシステム。
【請求項３５】
前記ユーザーインターフェースマネージャがさらに、前記当事者の遠隔コンピュータ上でラン中のアダプタプログラムとのデータ通信を制御するように構成されている、請求項３４に記載のコンピュータシステム。
【請求項３６】
前記データ通信網がインターネットである、請求項１乃至３５のいずれか１項に記載のコンピュータシステム。
【請求項３７】
前記データ通信網がＳＷＩＦＴネットワークである、請求項１乃至３５のいずれか１項に記載のコンピュータシステム。
【請求項３８】
前記データ通信網が仮想プライベートネットワークである、請求項１乃至３５のいずれか１項に記載のコンピュータシステム。
【請求項３９】
以前に実行された金融取引を処理するコンピュータ援用方法であって、
当事者Ａから、以前に実行された金融取引についての当事者Ａパースペクティブ第１の詳細セットを含む第１の入メッセージを、当事者Ｂから、以前に実行された金融取引についての当事者Ｂパースペクティブ第２の詳細セットを含む第２のメッセージを、決済プロセッサにおいて受信する段階と、
前記当事者Ａパースペクティブ詳細セットが前記当事者Ｂパースペクティブ詳細セットとマッチするか否かをマッチングサブシステムにおいて決定する段階と、
前記当事者Ａパースペクティブ詳細セットと当事者Ｂパースペクティブ詳細セットの間にマッチがある場合には、以前に実行された金融取引を計上する段階と、
を備える、方法。
【請求項４０】
当事者Ａに対して以前に実行された金融取引に関する情報を伝達するように構成された、当事者Ａのための第１のオンライン接続を確立する段階と、
前記当事者Ａパースペクティブ第１の詳細セット及び前記当事者Ｂパースペクティブ第２の詳細セットを前記オンライン接続を介して当事者Ａに伝送する段階と、
をさらに備える、請求項３９に記載の方法。
【請求項４１】
以前に実行された金融取引を計上する段階の前に、前記第１のオンライン接続を介して当事者Ａに対しマッチ状況を提供する段階をさらに備える、請求項３９又は４０に記載の方法。
【請求項４２】
もう１つのオンライン接続を介して、当事者Ｂとの以前に実行された金融取引に参加するための当事者Ａからの当初の要請を受信し、
前記マッチが存在するか否かを決定する段階の前に、以前に実行された金融取引を計上する段階、をさらに含んで構成される、請求項３９乃至４１のいずれか１項に記載の方法。
【請求項４３】
以前に実行された金融取引に関する情報を当事者Ｂに伝達するように構成された、当事者Ｂのための第１のオンライン接続を確立する段階と、
前記第２のオンライン接続を介して当事者Ｂに対して、前記当事者Ａパースペクティブ第１の詳細セット及び前記当事者Ｂパースペクティブ第２の詳細セットを送信する段階と、
前記第２のオンライン接続を介して当事者Ｂに対して、マッチ状況を提供する段階と、
をさらに備える、請求項３９乃至４２のいずれか１項に記載の方法。
【請求項４４】
前記マッチ状況に応答して、前記第１のオンライン接続を介して、当事者Ａから処理用指令を受信する段階と、
前記第２のオンライン接続を介して、当事者Ｂから前記処理用指令の確認を受信する段階と、
前記処理用指令及び前記確認に応答して、以前に実行された金融情報を計上する段階と、
を備える、請求項４１に記載の方法。
【請求項４５】
前記受信する段階が、前記第１及び第２のメッセージを含む複数のメッセージを受信する段階を備える、請求項４０又は４１に記載の方法。
【請求項４６】
前記マッチが存在するか否かを決定する段階の前に、以前に実行された金融取引を条件付きで計上する段階をさらに備える、請求項４５に記載の方法。
【請求項４７】
以前に実行された金融取引を計上する段階の前に、前記第１のオンライン接続を介して当事者Ａに対しマッチ状況を提供する段階と、
前記マッチが存在するか否かを決定する段階の前に、以前に実行された金融取引を条件付きで計上する段階と、をさらに備え、
前記受信する段階が、前記第１及び第２のメッセージを含む複数のメッセージを受信する段階を備え、
前記計上する段階が、
以前に実行された金融取引に関する情報を当事者Ｂに伝達するよう構成された、当事者Ｂのための第２のオンライン接続を確立する段階と、
前記マッチ状況に応答した処理用指令を当事者Ａから前記オンライン接続を介して受信する段階と、
前記第２のオンライン接続を介して、当事者Ｂに対し前記処理用指令を伝送する段階と、
前記第２のオンライン接続を介して、前記処理用指令に応答する確認を当事者Ｂから受信する段階と、
を備える、請求項３９又は請求項４０に記載の方法。
【請求項４８】
前記処理用指令が、
前記マッチを中断するための指令、
前記第１の詳細セットと前記第２の詳細セットとの間の強制マッチングを作成するための指令、
前記第１の詳細セットにマッチする第３の詳細セットを含む新しいメッセージを作成するための指令、
前記入メッセージを取消すための指令、
前記第１の入メッセージに関する通知を当事者Ｂに送るための指令、
前記第１の入メッセージに関する通知を当事者Ｃに送るための指令、
メッセージマッチングキューから前記第１の入メッセージを除去するための指令、及び
繰延べのために前記第１の入メッセージをマークするための指令、
のうちの少なくとも１つを含む、請求項４７に記載の方法。
【請求項４９】
前記受信する段階が、メッセージデータベースに前記入メッセージを記憶する段階を備える、請求項３９乃至４８のいずれか１項に記載の方法。
【請求項５０】
前記受信する段階は、前記第１の入メッセージが当事者Ａから以前に受信したメッセージについての補正要請を含んでいるか否かを決定する段階を備える、請求項３９乃至４９のいずれか１項に記載の方法。
【請求項５１】
前記受信する段階は、前記第１の入メッセージが当事者Ａから以前に受信したメッセージについての取消し要請を含んでいるか否かを決定する段階を備える、請求項３９乃至５０に記載の方法。
【請求項５２】
前記第１の入メッセージが決済命令セットを含むか否かを決定する段階をさらに備える、請求項３９乃至５１に記載の方法。
【請求項５３】
前記第１の入メッセージに対し決済命令セットを付加する段階をさらに備える、請求項５２に記載の方法。
【請求項５４】
前記受信する段階が、メッセージマッチングキュー内に前記第１の入メッセージを置く段階を備える、請求項３９乃至５３のいずれか１項に記載の方法。
【請求項５５】
前記受信する段階は、前記第１の入メッセージが受信されたことを示す通知を当事者Ｂに送る段階を備える、請求項３９乃至５４のいずれか１項に記載の方法。
【請求項５６】
前記受信する段階は、前記第１の入メッセージが受信されたことを示す通知を当事者Ｃに送る段階を備える、請求項３９乃至５５のいずれか１項に記載の方法。
【請求項５７】
前記第１の入メッセージをＳＷＩＦＴ  ＭＴ３００フォーマットに転換する段階をさらに備える、請求項３９乃至５６のいずれか１項に記載の方法。
【請求項５８】
前記決定する段階が、前記第１の入メッセージにメッセージ状況を割当てる段階を備える、請求項３９乃至５７のいずれか１項に記載の方法。
【請求項５９】
前記決定する段階が、前記第１の入メッセージにマッチ状況を割当てる段階を備える、請求項３９乃至５８のいずれか１項に記載の方法。
【請求項６０】
前記決定する段階が、前記第２の詳細セットがマッチしたことを示す通知を当事者Ｂに送る段階を備える、請求項３９乃至５９のいずれか１項に記載の方法。
【請求項６１】
前記決定する段階が、前記第２の詳細セットがマッチしたことを示す通知を当事者Ｃに送る段階を備える、請求項３９乃至６０のいずれか１項に記載の方法。
【請求項６２】
前記第１のオンライン接続を介して当事者Ａから決済命令選定を受信する段階をさらに備える、請求項３９乃至６１のいずれか１項に記載の方法。
【請求項６３】
前記決済命令選定は、予め定義された決済命令セットを使用する要請を含む、請求項６２に記載の方法。
【請求項６４】
前記決済命令選定は、新しい決済命令セットを使用する要請を含む、請求項６２に記載の方法。
【請求項６５】
前記決済命令選定は、予め定義された決済命令セットを修正する要請を含む、請求項６２に記載の方法。
【請求項６６】
複数の以前に実行された金融取引について当事者Ａに対しネット決済支払いセットを提示する段階をさらに備える、請求項３９乃至６５のいずれか１項に記載の方法。
【請求項６７】
前記提示する段階が、
当事者Ａから前記オンライン接続を介して、複数の以前に実行された金融取引内の以前に実行された金融取引のサブセットについて、選択された勘定決済日、及び勘定と契約相手の選択された組合せを受信する段階と、
前記選択された勘定決済日及び選択された組合せに基づいて、以前に実行された金融取引のサブセットについてのネット支払いセットを計算する段階と、
前記オンライン接続を介して当事者Ａに対し該ネット支払いセットを伝送する段階と、を備える、請求項６６に記載の方法。
【請求項６８】
承認のため、前記選択された組合せの中の各契約相手に対し前記ネット支払いセットを伝送する段階をさらに備える、請求項６７に記載の方法。
【請求項６９】
前記計算する段階が、規定のネッティング方式を用いて実施される、請求項６７又は６８に記載の方法。
【請求項７０】
前記ネッティング方式には、以前に実行された金融取引のサブセットの中で、各々の通貨対について、ネット支払いを生成することが必要とされる、請求項６９に記載の方法。
【請求項７１】
前記ネッティング方式には、以前に実行された金融取引のサブセットの中で、各通貨についてのネット支払いを生成することが必要とされる、請求項６９に記載の方法。
【請求項７２】
前記ネッティング方式には、当事者Ａが支払うべき決済支払い数を低減させるべく当事者Ａ以外の２者以上の契約相手の間で直接支払われるべきネット支払いセットを生成することが必要とされる、請求項６９に記載の方法。
【請求項７３】
前記ネット支払いセット内の各々のネット支払いについての決済命令を当事者Ａから受信する段階をさらに備える、請求項６７及び７２のいずれか１項に記載の方法。
【請求項７４】
前記受信する段階が、ＳＷＩＦＴ  ＭＴ３００確認メッセージを受信する段階を備える、請求項３９乃至７３のいずれか１項に記載の方法。
【請求項７５】
各前記詳細セットが以前に実行された金融取引についての経済的詳細セットを含む、請求項３９乃至７４のいずれか１項に記載の方法。
【請求項７６】
各前記詳細セットが以前に実行された金融取引についての勘定識別子を含む、請求項３９乃至７５のいずれか１項に記載の方法。
【請求項７７】
各前記詳細セットが以前に実行された金融取引についての契約相手識別子を含む、請求項３９乃至７６のいずれか１項に記載の方法。
【請求項７８】
以前に実行された金融取引がコンピュータ化されたオンライン金融取引ネットワークを介して開始される、請求項３９乃至７７に記載の方法。
【請求項７９】
前記コンピュータ化されたオンライン金融取引ネットワークが外国為替トレーディングポータルを備える、請求項７８に記載の方法。
【請求項８０】
前記受信する段階が、各メッセージについて、以前に実行された金融取引のそれぞれの詳細セットをデータベースに記憶する段階を備える、請求項３９乃至７９に記載の方法。
【請求項８１】
当事者Ａとの第１のオンライン接続を確立する段階と、
当事者Ｂとの第２のオンライン接続を確立する段階と、をさらに備え、
当事者Ａパースペクティブ詳細セットが前記第１のオンライン接続を介して受信され、かつ当事者Ａ及び当事者Ｃとの間の第１の金融取引に関するギブアップ詳細を含み、
当事者Ｂパースペクティブ詳細セットが前記第２のオンライン接続を介して受信され、かつ当事者Ｂと当事者Ｃとの間の第２の金融取引についてのギブアップ詳細を含み、
前記決定する段階が、当事者Ａギブアップ詳細と当事者Ｂギブアップ詳細との間にマッチが存在するか否かを決定する段階を含み、
前記マッチが存在する場合に計上する段階が、第１及び第２の金融取引を計上する段階を備える、
請求項３９乃至４１のいずれか１項に記載の方法。
【請求項８２】
もう１つのオンライン接続を介して、当事者Ｂとの以前に実行された金融取引に参加するための当事者Ａからの当初の要請を受信する段階と、
前記マッチングサブシステムがマッチが存在するか否かを決定する前に、第１の金融取引を条件付きで計上する段階と、
前記マッチングサブシステムがマッチが存在するか否かを決定する前に、第２の金融取引を条件付きで計上する段階と、
をさらに備える、請求項８１に記載の方法。
【請求項８３】
当事者Ｂに対し前記当初の要請を伝送する前に、前記当事者Ａと当事者Ｃとの間の取決めが当事者Ａに前記当初の要請を行なうことを許可しているか否かを確認する段階をさらに備える、請求項８２に記載の方法。
【請求項８４】
前記取決めは、
信用限度、
通貨ペア制約、
先日付制限、
特定勘定の使用要件、
実行日付制約、及び
決済日付制約、
のうちの少なくとも１つを含む、請求項８３に記載の方法。
【請求項８５】
当事者Ｃのための第３のオンライン接続を確立する段階と、
当事者Ａに代って当事者Ｃに対し前記当事者Ａギブアップ詳細を伝送する段階と、
当事者Ｂに代って当事者Ｃに対し前記当事者Ｂギブアップ詳細を伝送する段階と、
をさらに備える、請求項８１乃至８４のいずれか１項に記載の方法。
【請求項８６】
前記当事者Ａギブアップ詳細が当事者Ｃに伝送されたという通知を当事者Ａに伝送する段階をさらに備える、請求項８５に記載の方法。
【請求項８７】
前記当事者Ｂギブアップ詳細が当事者Ｃに伝送されたという通知を当事者Ｂに伝送する段階をさらに備える、請求項８５又は８６に記載の方法。
【請求項８８】
前記当事者Ａギブアップ詳細及び当事者Ｂギブアップ詳細の当事者Ｃに対する伝送に応答して、当事者Ｃから当事者Ｃギブアップ受諾を受信する段階と、
当事者Ｃに代って当事者Ａ及び当事者Ｂに対し前記当事者Ｃギブアップ受諾を伝送する段階と、
をさらに備える、請求項８５乃至８７のいずれか１項に記載の方法。
【請求項８９】
第１の金融取引を計上する段階が、第２の金融取引よりも高いレートで第１の金融取引を計上する段階を備える、請求項８５乃至８８のいずれか１項に記載の方法。
【請求項９０】
第１及び第２の金融取引が計上されたことの通知を当事者Ａ及び当事者Ｂに伝送する段階をさらに備える、請求項８５乃至８９に記載の方法。
【請求項９１】
当事者Ｃにギブアップされていない、以前に実行された金融取引の一部分を含む当事者Ａと当事者Ｂの間の第３の金融取引に関する、当事者Ａの詳細セットを当事者Ａから前記第１のオンライン接続を介して受信する段階と、
第３の金融取引に関する当事者Ｂの詳細セットを当事者Ｂから前記第２のオンライン接続を介して受信する段階と、
前記当事者Ａの詳細と前記当事者Ｂの詳細との間に第２のマッチが存在するか否かを決定する段階と、
第２のマッチが存在する場合に、第３の金融取引を計上する段階と、
をさらに備える、請求項８５に記載の方法。
【請求項９２】
第３の金融取引を計上する前に、前記第１のオンライン接続を介して当事者Ａに対し、前記当事者Ａの詳細及び前記当事者Ｂの詳細についてのマッチ状況を提供する段階をさらに備える、請求項９１に記載の方法。
【請求項９３】
前記決済用プロセッサがさらに、第３の金融取引を計上する前に、前記第２のオンライン接続を介して当事者Ｂに対し、前記当事者Ａの詳細及び前記当事者Ｂの詳細についてのマッチ状況を提供するように構成されている、請求項９１又は９２に記載の方法。
【請求項９４】
第３の金融取引が計上されたことの通知を当事者Ａ及び当事者Ｂに伝送する段階をさらに備える、請求項９１乃至９３のいずれか１項に記載の方法。
【請求項９５】
もう１つのオンライン接続を介して、当事者Ｂとの第３の金融取引に参加するための当事者Ａからの当初の要請を受信する段階と、
第２のマッチが存在するか否かを決定する前に、第３の金融取引を条件付きで計上する段階と、
をさらに備える、請求項９１乃至９４のいずれか１項に記載の方法。
【請求項９６】
当事者Ａより当事者Ｃに提供された資金割当に基づいて決済詳細セットを当事者Ｃから受信する段階と、
当事者Ｄのための第４のオンライン接続を確立する段階と、
前記第４のオンライン接続を介して当事者Ｄに対し決済詳細セットを伝送する段階と、
をさらに備える、請求項８１乃至９５のいずれか１項に記載の方法。
【請求項９７】
決済詳細セットに応答した当事者Ｄ決済確認メッセージを当事者Ｄから受信する段階と、
当事者Ｄに代って当事者Ｃに対し前記当事者Ｄ決済確認メッセージを伝送する段階と、
前記当事者Ｄ決済確認メッセージに応答した当事者Ｃ確認メッセージを当事者Ｃから受信する段階と、
当事者Ａに対し前記当事者Ｃ決済確認メッセージを伝送する段階と、
をさらに備える、請求項９６に記載の方法。
【請求項９８】
前記当事者Ｃ決済確認メッセージと前記決済詳細セットの間にマッチが存在するか否かを決定する段階をさらに備える、請求項９７に記載の方法。
【請求項９９】
金融取引を処理するためのコンピュータシステムであって、
当事者Ｂに向けられた当初の商取引要請を当事者Ａから受信する手段と、
前記当初の要請を受信する手段に基づいて２次商取引要請を生成する手段と、
アウトソーシング規則セットに基づいて選択されているプロバイダセットに対し、当事者Ｂに代って前記２次商取引要請を提出する手段と、
前記２次商取引要請に応答して、当初の応答ストリームを前記プロバイダセットのサブセットから受信する手段と、
２次応答ストリームを形成するべく前記当初の応答ストリームから１つ以上の応答を選択する手段と、
当事者Ｂに代って当事者Ａに対して前記２次応答ストリームを伝送する手段と、
前記２次応答ストリームに応答して当事者Ａからの受諾を受信する手段と、
受諾に応答して、
前記当初の応答ストリーム及び仲裁規則セットに基づいて被選択  プロバイダを選び、
当事者Ｂに代わって、前記選択されたプロバイダに対し前記受諾を  転送し、
前記受諾に応答して、前記選択されたプロバイダからの確認を受信  し、
前記確認の受信と実質的に同時に、前記当初の金融取引に基づいて  一対の金融取引を計上する、手段と、を備え、
該金融取引ペアは、当事者Ａと前記選択されたプロバイダとの間の第１の金融取引、及び当事者Ｂと前記選択されたプロバイダとの間の第２の金融取引を含む、コンピュータシステム。
【請求項１００】
前記アウトソーシング規則セットが当事者Ｂにより規定されている、請求項９９に記載のコンピュータシステム。
【請求項１０１】
前記仲裁規則セットが当事者Ｂにより規定されている、請求項９９又は１００に記載のコンピュータシステム。
【請求項１０２】
前記確認を受信し、前記金融取引ペアを計上する手段が実時間ベースで動作する、請求項９９乃至１０１に記載のコンピュータシステム。
【請求項１０３】
前記当初の応答ストリームから選択された前記１つ以上の応答に対しスプレッドを付加する手段をさらに備える、請求項９９乃至１２２のいずれか１項に記載のコンピュータシステム。
【請求項１０４】
前記プロバイダセットについての履歴パフォーマンスレコードを形成するために、前記プロバイダセット内の各々の流動性プロバイダについてのパフォーマンスメトリックセットを追跡する手段と、
前記履歴パフォーマンスレコードに基づいて前記仲裁規則セットを自動的に調整する手段と、
をさらに備える、請求項９９乃至１０３のいずれか１項に記載のコンピュータシステム。
【請求項１０５】
当事者Ｂに対して前記商取引要請を提出する前に、当事者Ａについての信用情報を提供するように構成されたクレジットエンジンをさらに備える、請求項９９乃至１０４のいずれか１項に記載のコンピュータシステム。
【請求項１０６】
前記被選択プロバイダを選ぶ手段が、関係ルーターを備える、請求項９９乃至１０５に記載の方法。
【請求項１０７】
前記２次商取引要請を提出するための手段が、関係ルーターを備える、請求項９９乃至１０６のいずれか１項に記載のコンピュータシステム。